(57)【要約】【課題】ユーザ操作指示に応じて電気機器へ制御情報を送信するリモコン装置において、簡単な操作によってユーザの所望する制御情報を電気機器へ送信することができる。【解決手段】ユーザがリモコン装置を把持するときに接触信号のパターンが登録されたパターンと一致するか否かが判断され（＃１）、一致すると判断される場合に使用中のユーザは登録パターンに属するユーザであると識別される（＃３）。操作指示が行われたと判断される場合（＃４でＹＥＳ）、時刻識別手段からの時刻情報によって使用時刻が識別され場所識別手段からの場所情報によって使用場所が識別される（＃５）。＃４で検出された操作指示がユーザごとに予め設定された使用場所、使用時刻の組合せのなかにあるか否かが判断され（＃６）、ある場合には（＃６でＹＥＳ）、その操作指示に対応する制御情報が送信される（＃７）。送信された制御情報について履歴テーブルが更新される（＃８）。【選択図】図３
2007227995.tif 000002
【特許請求の範囲】
【請求項１】
ユーザ操作指示に応じて制御対象の電気機器へ制御情報を送信する信号送信部を備えるリモコン装置において、
前記リモコン装置を使用するユーザを識別するためのユーザ識別手段と、
前記リモコン装置が使用される場所を識別するための場所識別手段と、
前記リモコン装置が使用される時刻を識別するための時刻識別手段と、
ユーザごとに、ユーザ操作指示、使用場所、及び使用時刻の組合せ別に予め設定された制御情報が登録された記憶部と、を備え、
前記信号送信部は、前記ユーザ識別手段、場所識別手段、及び時刻識別手段によって識別されたユーザ、使用場所、及び使用時刻の組合せに対応し、かつユーザ操作指示に対応する制御情報を前記記憶部に設定登録された制御情報の中から選択して送信することを特徴とするリモコン装置。
【請求項２】
接触センサ及び／又は加速度センサをさらに備え、
前記信号送信部は、前記接触センサ及び／又は加速度センサにより検出されたユーザ操作指示に応じて前記記憶部に設定登録された制御情報を選択して送信することを特徴とする請求項１に記載のリモコン装置。
【請求項３】
送信された制御情報を、前記ユーザ識別手段、場所識別手段、及び時刻識別手段によって識別されたユーザ、使用場所、及び使用時刻の組合せごとに記憶する履歴記憶部を備え、
前記信号送信部は、前記履歴記憶部を参照して頻度の高い制御情報を優先して送信すべき制御情報を選択することを特徴とする請求項１又は請求項２に記載のリモコン装置。
【請求項４】
前記履歴記憶部は、送信される制御情報の前後において送信される制御情報を、前記ユーザ識別手段、場所識別手段、及び時刻識別手段によって識別されたユーザ、使用場所、及び使用時刻の組合せごとに記憶し、前記信号送信部は、前記履歴記憶部を参照して次に送信すべき制御情報を予測して選択することを特徴とする請求項３に記載のリモコン装置。
【請求項５】
他のリモコン装置から送信される制御情報を受信可能な信号受信部をさらに備え、
前記記憶部は、前記信号受信部によって受信された制御情報を記憶し、ユーザごとに、ユーザ操作指示、使用場所、及び使用時刻の組合せに応じた制御情報として設定登録することを特徴とする請求項１乃至請求項４のいずれかに記載のリモコン装置。
【請求項６】
請求項１乃至請求項５のいずれかに記載のリモコン装置と、前記リモコン装置から送信される制御情報によって制御される電気機器から構成されることを特徴とする遠隔制御システム。
【発明の詳細な説明】
【技術分野】
【０００１】
本発明は、リモコン装置及び遠隔制御システムに関する。
【背景技術】
【０００２】
照明器具、エアコン等の家庭用電気機器へ種々の制御情報（電源のオンオフや設定の切替等）を送信するリモコン装置は、家庭用電気機器の多機能化に伴って非常に多くの種類の制御情報を送信することが要求されてきている。そのためにリモコン装置に備えられる制御情報を特定するためのボタンの数も増加している。
【０００３】
ボタンの数が増加するとリモコン装置上に小さなボタンが密集して設けられるようになってユーザが所望のボタンを容易に見つけることが困難になり電気機器を正確かつ迅速に制御することが困難になる。
【０００４】
リモコン装置上のボタン数を減少させるために、個別ユーザごとの使用頻度がボタンによって異なることに着目して、ユーザごとに使用頻度の低いボタンが省略されるように構成されたリモコン装置が知られている（例えば、特許文献１参照）。このリモコン装置では、リモコン装置の表面に液晶パネルによって種々の操作ボタン群が表示されるように構成され、ユーザが、ユーザを特定するための番号ボタンを押すと、押された番号ボタンに予め対応付けられた個別ユーザ用の画面が液晶パネル面に表示される。
【０００５】
そして、このリモコン装置の個別ユーザ用の画面では、使用頻度の低いボタンの表示が省略され、表示された少数のボタンは使用頻度に応じた大きさで表示されるので、個別のユーザにとって所望のボタンを見つけやすく、それだけ電気機器を容易に制御しやすくなっている。
【０００６】
他方、照明器具、エアコン等の家電機器がネットワークによって集中制御可能に接続されたホームネットワークシステムにおいて、ユーザが携帯する携帯端末から個人識別情報を含む種々の情報を集中制御装置へ送信させ、情報を受信した集中制御装置がその個人識別情報に基づいて家電機器を個人に応じた動作状態に制御するように構成されたホームネットワークシステムが知られている（例えば、特許文献２及び特許文献３参照）。
【特許文献１】特開平９−２３４８７号公報
【特許文献２】特開２００５−１７５６６０号公報
【特許文献３】特開２００３−２４４７７６号公報
【発明の開示】
【発明が解決しようとする課題】
【０００７】
ところで、ユーザが多機能化してきている家庭用電気機器を充分に使いこなせない背景には、上述のようにリモコン装置に搭載するボタンの数が増加するのでユーザが所望のボタンを見つけ難いという事情の他に、リモコン装置上のボタン数を無理に少なくするために同一のボタンが複数の機能を兼用するように構成し、そのことによってボタン押し方法が却って複雑になって、ユーザがそのボタン押し方法を失念し易くなってしまったり、正確なボタン押し操作のために手間取るという事情がある。
【０００８】
例えば、明るさが５段階に設定できる照明器具の場合、そのリモコン装置には、できるだけボタン数を少なくするために点灯ボタンの他に明るさを増減変化させるための１つの明るさボタンが搭載される。明るさボタンは、例えばユーザがそれを押す度に照明器具の明るさが段階的に増加又は減少するように構成される。
【０００９】
ユーザは、上記のように構成されたリモコン装置を使用して所望の明るさで照明器具を点灯させるために、点灯ボタンを押した上に明るさボタンを数回押して調整しなければならず面倒である。そのために、ユーザは、所望する明るさではない状態でもボタン押し操作による細かな調整を途中で中止したり、あるいは最初から行わない場合がある。
【００１０】
また、リモコン装置上のボタン数を減らすために上記明るさボタンが他のボタンと兼用される場合には、当該他のボタンを明るさ調整用として日常的に使用しないユーザにとっては、明るさ調整をするためのボタン押し方法自体を失念してしまう可能性がある。
【００１１】
一方、ユーザには固有の好みや習慣があることから、個別のユーザが電気機器を使用する上において利用する機能は、そのユーザの生活習慣に依存したほぼ一定の範囲にパターン化される傾向があることが知られている。
【００１２】
例えば、上述の明るさが５段階に設定できる照明器具が寝室に設置されている場合に、その寝室を利用するユーザ（Ａさん）の利用状況についてみると、ユーザ（Ａさん）は、朝の起床時には照明器具を５段階のうち中間の３段階目の明るさで点灯し、夜の就眠前にはやや暗めの２段階目の明るさで点灯する習慣があり、別のユーザ（Ｂさん）についてみると、ユーザ（Ｂさん）は、朝の起床時には早期の覚醒を図るために５段階のうち４段階目の明るさで点灯し、夜の就眠前には最も暗めの１段階目の明るさで点灯する習慣があるといったようにほぼパターン化される。
【００１３】
そこで、本発明の発明者は、上記のような知見に基づいて、リモコン装置を使用しているユーザが識別され、さらに当該リモコン装置が使用されている場所と時刻が識別されることによって、それらの組合せに対応して予め設定登録された制御情報の中から操作指示に応じて制御情報が選択されるように構成して、ユーザが行う操作指示の種類（ボタンの数）を相当減少させることができることに気付き本発明に想到することができた。
【００１４】
なお、上記特許文献２及び特許文献３は、ホームネットワークシステムに関するものであり、ユーザが保持する携帯端末は、各電気機器を直接制御するものではない。
【００１５】
本発明は、ユーザ操作指示に応じて制御対象の電気機器へ制御情報を送信するリモコン装置において、予めユーザごとに、操作指示と使用場所と使用時刻の組合せ別に制御情報を設定しておけば、簡単な操作によってユーザの所望する制御情報を電気機器へ送信させ、電気機器を個別ユーザの生活習慣に沿った動作状態に制御することができ、しかもユーザに所望の操作ボタンを探す等の手間を煩わせることがないリモコン装置を提供することを目的とする。
【課題を解決するための手段】
【００１６】
上記目的を達成するために請求項１の発明は、ユーザ操作指示に応じて制御対象の電気機器へ制御情報を送信する信号送信部を備えるリモコン装置において、前記リモコン装置を使用するユーザを識別するためのユーザ識別手段と、前記リモコン装置が使用される場所を識別するための場所識別手段と、前記リモコン装置が使用される時刻を識別するための時刻識別手段と、ユーザごとに、ユーザ操作指示、使用場所、及び使用時刻の組合せ別に予め設定された制御情報が登録された記憶部と、を備え、前記信号送信部は、前記ユーザ識別手段、場所識別手段、及び時刻識別手段によって識別されたユーザ、使用場所、及び使用時刻の組合せに対応し、かつユーザ操作指示に対応する制御情報を前記記憶部に設定登録された制御情報の中から選択して送信することを特徴とする。
【００１７】
請求項２の発明は、請求項１の発明において、接触センサ及び／又は加速度センサをさらに備え、前記信号送信部は、前記接触センサ及び／又は加速度センサにより検出されたユーザ操作指示に応じて前記記憶部に設定登録された制御情報を選択して送信することを特徴とする。
【００１８】
請求項３の発明は、請求項１又は請求項２の発明において、送信された制御情報を、前記ユーザ識別手段、場所識別手段、及び時刻識別手段によって識別されたユーザ、使用場所、及び使用時刻の組合せごとに記憶する履歴記憶部を備え、前記信号送信部は、前記履歴記憶部を参照して頻度の高い制御情報を優先して送信すべき制御情報を選択することを特徴とする。
【００１９】
請求項４の発明は、請求項３の発明において、前記履歴記憶部は、送信される制御情報の前後において送信される制御情報を、前記ユーザ識別手段、場所識別手段、及び時刻識別手段によって識別されたユーザ、使用場所、及び使用時刻の組合せごとに記憶し、前記信号送信部は、前記履歴記憶部を参照して次に送信すべき制御情報を予測して選択することを特徴とする。
【００２０】
請求項５の発明は、請求項１乃至請求項４のいずれかに記載の発明において、他のリモコン装置から送信される制御情報を受信可能な信号受信部をさらに備え、前記記憶部は、前記信号受信部によって受信された制御情報を記憶し、ユーザごとに、ユーザ操作指示、使用場所、及び使用時刻の組合せに応じた制御情報として設定登録することを特徴とする。
【００２１】
請求項６の発明は、請求項１乃至請求項５のいずれかに記載のリモコン装置と、前記リモコン装置から送信される制御情報によって制御される電気機器から構成されることを特徴とする遠隔制御システムである。
【発明の効果】
【００２２】
請求項１の発明によれば、ユーザ操作指示に応じて制御対象の電気機器へ制御情報を送信する信号送信部を備えるリモコン装置において、予めユーザごとに、操作指示と使用場所と使用時刻の組合せ別に制御情報を設定しておけば、簡単な操作によってユーザの所望する制御情報を電気機器へ送信させ、電気機器を個別ユーザの生活習慣に沿った動作状態に制御することができる。
【００２３】
請求項２の発明によれば、上記効果に加えて、信号送信部が接触センサ及び／又は加速度センサにより検出されたユーザ操作指示に応じて予め設定登録された制御情報の中から対応する制御情報を選択して送信するので、ユーザは、操作ボタンを探す等の手間を煩わされることがない。
【００２４】
請求項３の発明によれば、さらに、信号送信部が履歴記憶部を参照して頻度の高い制御情報を優先して選択し送信するので、ユーザの操作指示が正確でない場合でも頻度の高い制御情報が優先して送信され、ユーザにとって常に細部まで正確な操作を強いられることがなく使い勝手が良い。
【００２５】
請求項４の発明によれば、請求項３の効果に加えて、信号送信部が履歴記憶部を参照して次に送信すべき制御情報を予測して選択し送信するので、ユーザが一連の操作を行う場合に、ユーザの操作指示が正確でない場合でも正しい制御情報が優先して送信され、ユーザにとって常に細部まで正確な操作を強いられることがなく、一連の操作指示を速やかに正確に行うことができる。
【００２６】
請求項５の発明によれば、さらに、信号受信部が受信した他のリモコン装置からの制御情報が、ユーザごとの操作指示、使用場所、及び使用時刻の組合わせに応じた制御情報として設定登録されるので、電気機器の制御情報を記憶部に設定登録するときの手間が簡略化される。
【発明を実施するための最良の形態】
【００２７】
以下、本発明の一実施形態に係るリモコン装置１について、図面を参照して説明する。本実施形態のリモコン装置１は、図１に示されるように、細長の直方体形状の筐体２を有し、一方の端面側に制御対象の電気機器（例えば、ハードディスクレコーダ、エアコン、照明器具等）へ制御情報（例えば、電源のオンオフ、空調モードの切替え等）を赤外光Ｒとして送信する発光ダイオード３と、加速度センサ４を備える。発光ダイオード３は、後述する制御部５（図２）と共に信号送信部を構成する。
【００２８】
加速度センサ４は、３次元方向の加速度の大きさが検出可能に構成され、検出された３次元方向ごとの加速度の大きさは、後述の制御部５に送信される。制御部５は、受信した加速度の情報からユーザがリモコン装置１を上下、左右に振る等の動作によってリモコン装置１に与えられる加速度の方向と大きさを識別する。
【００２９】
筐体２の他方の端面側には、電気機器に付属の他のリモコン装置１０から送信される赤外光ｒを受信可能なフォトトランジスタ（信号受信部）６と、リモコン装置１自体のモードを切替えるための設定スイッチ７を備える。ユーザが設定スイッチ７を押すことによって、ユーザの操作指示に応じた制御情報が送信される通常モードと、フォトトランジスタ６によって受信された他のリモコン装置１０からの制御情報（赤外光ｒ）を後述の記憶部８に記憶する等の種々の設定が行える設定モードとの間でモードを切替えることができる。
【００３０】
両端面以外の４つの筐体外周面２ａ、２ｂ、２ｃ、２ｄには、比較的幅狭の２つの側面２ｂ、２ｄにそれぞれ１列に配置された１０個の接触センサＳ３−１〜Ｓ３−１０、Ｓ６−１〜Ｓ６−１０が備えられ、比較的幅広の上面２ａと下面２ｃにそれぞれ２列に配置された２０個の接触センサＳ１−１〜Ｓ１−１０、Ｓ２−１〜Ｓ２−１０、Ｓ４−１〜Ｓ４−１０、Ｓ５−１〜Ｓ５−１０が備えられる。各接触センサＳ１−１〜Ｓ６−１０は、例えば歪ゲージから構成され接触の有無と共に接触圧力が電流値として検出可能に構成される。
【００３１】
各接触センサは、センサ表面が筐体２の外周面から僅かに突出して、ユーザが視覚及び触覚によって容易に位置を認識できる状態で備えられてもよいし、センサ表面が筐体２の外周面の下に埋設され、ユーザが視覚及び触覚によっては容易に位置を認識できない状態で備えられてもよい。また、接触センサＳ１−１〜Ｓ６−１０は、ユーザがリモコン装置１を把持するときにユーザの手が触れる部分をほぼ網羅するように備えられ、本実施形態のリモコン装置１では、筐体２の両端面を除く４つの外周面２ａ、２ｂ、２ｃ、２ｄが合計６０個の接触センサＳ１−１〜Ｓ６−１０で覆われているが、接触センサの数や配置は、筐体２の形状に応じて適宜変更される。
【００３２】
次に、本実施形態のリモコン装置１の電気的構成について、図２を参照して説明する。本実施形態のリモコン装置１の電気的構成は、発光ダイオード３、加速度センサ４、フォトトランジスタ６、設定スイッチ７、接触センサＳ１−１〜Ｓ６−１０、及びそれらに接続されたマイクロコンピュータから構成される制御部５を備える。
【００３３】
また、制御部５には時刻を識別するための時計９と、リモコン装置１が使用される場所を識別するために各電気機器から送信される電波（ＩＤ信号）を受信する受信部１１と、記憶部８が接続される。記憶部８は、ＲＯＭとＲＡＭから構成され、ＲＯＭにはリモコン装置１の全般的な動作のためのプログラムが格納され、ＲＡＭには当該リモコン装置１から送信される制御情報の履歴等が記憶される。
【００３４】
本実施形態のリモコン装置１では、接触センサＳ１−１〜Ｓ６−１０、制御部５及び記憶部８によってユーザ識別手段が構成され、時計９と制御部５によって時刻識別手段が構成され、受信部１１、制御部５及び記憶部８によって場所識別手段が構成される。以下、各識別手段について順に説明する。
【００３５】
制御部５は、６０個の接触センサＳ１−１〜Ｓ６−１０からそれぞれ接触の有無の信号（以下、接触が有るときの信号を接触信号という）と接触圧力の信号（以下、圧力信号という）を受信し、６０個の接触センサＳ１−１〜Ｓ６−１０のうちどの領域の接触センサから接触信号を受信するか（接触パターン）に基づき、予め記憶部８内に記憶されているユーザごとの接触パターンと照合してリモコン装置１を把持するユーザの識別を行う。
【００３６】
また、制御部５は、６０個の接触センサＳ１−１〜Ｓ６−１０のうちどの接触センサから接触信号を受信するか、どの接触センサからどの程度の圧力信号を受信するか、及びそれらの信号がどのくらいの時間間隔で受信されるか等によってユーザの行う操作指示（電源のオンオフ、設定の切替え等）を識別する。さらに、制御部５は、加速度センサ４から送信される加速度の情報に基づいてリモコン装置１に加えられた加速度の方向と大きさからユーザの行った操作指示を識別する。
【００３７】
制御部５は、時計９から時刻信号を受信することによって接触センサＳ１−１〜Ｓ６−１０から接触信号を受信するときの時刻（ユーザがリモコン装置１を使用する時刻）を識別する。
【００３８】
リモコン装置１は、制御部５が加速度センサ４から送信される加速度の情報に基づいて該リモコン装置１がユーザによって持上げられて移動されたことを識別できるように構成される。また、図１２に示されるように、照明器具１０２、エアコン１０３等の各電気機器には、電気機器自体のＩＤを電波信号として送信する送信部１０２ａ、１０３ａが備えられる。
【００３９】
そして、リモコン装置１がユーザによって移動されたことを識別したときに、制御部５は、受信部１１によって電気機器からの電波（ＩＤ信号）を受信し、移動後の位置を識別する。例えば、図１２に示されるように、ユーザが２階の居間にあるリモコン装置１を持ち上げて寝室に移動した場合には、リモコン装置１は、寝室の照明器具１０２から電波を受信して、その電波に含まれるＩＤ信号から寝室に移動されたことを認識し、リモコン装置１自体の現在位置を識別する。
【００４０】
なお、上記場所識別手段については、各電気機器に送信部１０２ａ、１０３ａが備えられる代わりに、各部屋に部屋ごとのＩＤ信号を送信する専用の送信装置が備えられてもよいし、リモコン装置１自体にＧＰＳ（Ｇｌｏｂａｌ  Ｐｏｓｉｔｉｏｎｉｎｇ  Ｓｙｓｔｅｍ）衛星からの位置信号を受信するＧＰＳ信号受信装置が備えられて、リモコン装置１がそのＧＰＳ信号に基づいて場所を識別するように構成されてもよい。
【００４１】
以下、制御情報の送信手順について図３を参照して説明し、その中で制御部５の上記各識別手段の動作について具体的に説明する。
【００４２】
図３に示されたフローチャートは、制御部５が記憶部８内のＲＯＭに格納されたプログラムを読出して実行する制御情報の送信手順である。制御部５は、まず接触センサＳ１−１〜Ｓ６−１０から受信する接触信号のパターンが登録されたパターンと一致するか否かを判断する（＃１）。
【００４３】
この判断処理について、図４と図５を参照して具体的に説明する。図４と図５は、別々のユーザによって把持されたときの６０個の接触センサＳ１−１〜Ｓ６−１０からの接触信号の有無をマトリクス状に示すものである。マトリクスの横行が接触センサの各列を表す。図４と図５において着色された位置が接触信号を送信する接触センサの位置を表し、図４においては、１列目の接触センサＳ１−２〜Ｓ１−８と、２列目の接触センサＳ２−２、Ｓ２−５〜Ｓ２−８と、３列目の接触センサＳ３−５〜Ｓ３−８と、４列目の接触センサＳ４−４〜Ｓ４−８と、５列目の接触センサＳ５−３〜Ｓ５−８と、６列目の接触センサＳ６−２〜Ｓ６−８が接触信号を送信していることが表されている。図５においては、図４と異なった位置の接触センサが接触信号を送信していることが表されている。
【００４４】
上記のようにユーザによって把持されたリモコン装置１の接触センサＳ１−１〜Ｓ６−１０からは、把持の態様によって異なった位置及び異なった数の接触センサが接触信号を送信し、制御部５は、その接触信号を受信して接触パターンとして認識する。例えば、ユーザＡさんがリモコン装置１を把持するときに図４に示される接触パターンが認識され、ユーザＢさんがリモコン装置１を把持するときに図５に示される接触パターンが認識される。
【００４５】
ユーザによる把持の態様は、ユーザの手の大きさや持ち方の癖等によって各ユーザごとに異なるが、同一のユーザについては、把持する時間や場所が変わっても概ね一定しており、接触パターンも各ユーザごとに概ね一定している。つまり、接触パターンが一致するか否かを判断することによって、ユーザの識別が可能である。
【００４６】
そして、記憶部５のＲＡＭには、後述する方法によって予めユーザごとの接触パターンが記憶されており、この予め記憶された接触パターン（以下、登録パターンという）のうちのいずれかと、制御部５が現在認識する接触パターンが一致するか否かが判断される。具体的には、接触パターンを構成する接触信号を送信している接触センサの位置が一致するか否かが判断される。
【００４７】
なお、同一のユーザであっても少しは持ち方が変わる場合があるので、接触信号を送信している接触センサの位置が完全に一致する場合以外にも、次のような場合は、接触パターンと登録パターンが一致すると判断する。
【００４８】
例えば、ユーザの把持位置がリモコン装置１の長手方向においてずれる場合があり、この場合は、接触信号を送信する接触センサの位置が全体的に接触センサの列に沿った方向にずれる。また、ユーザがリモコン装置１の前後又は上下を間違えて把持する場合があり、この場合には、接触信号を送信する接触センサの位置は全体として前後又は上下が反転した状態となる。
【００４９】
これらの場合は、図４及び図５において表される接触パターンの形状が左右に移動したり、左右に反転したりするが、全体の形状が同一であれば、その接触パターンは登録パターンと一致するものとする。さらに、ユーザが把持することによって得られる接触パターンと登録パターンの差異が僅か（全接触センサ数の数パーセント程度）である場合にも、両パターンは一致するものとする。
【００５０】
上記の処理によって接触パターンが登録パターンのいずれとも一致しない場合には（＃１においてＮＯ）、制御部５は、その接触パターンを新しい接触パターンとして登録し（＃２）、記憶部８に記憶する。
【００５１】
上記処理によって接触パターンが登録パターンのうちのいずれかと一致すると判断される場合には（＃１においてＹＥＳ）、使用中のユーザは、一致する登録パターンのユーザ（例えば、Ａさん）であると識別する（＃３）。
【００５２】
次に、制御部５は、ユーザによる操作指示が行われたか否かを判断する（＃４）。ユーザによる操作指示は、ユーザがリモコン装置１を把持した状態で、例えば人差し指の先で筐体２の外周面を軽く叩く動作や、リモコン装置１全体を左右に振る動作によって行われる。この判断処理について、図６乃至図８を参照して具体的に説明する。
【００５３】
図６乃至図８は、いずれも同一のユーザ（Ａさん）がリモコン装置１を把持するときの接触パターンを表す。今、ユーザがリモコン装置１を把持したまま親指の先で筐体２の外周面を軽く叩く動作を行うと、親指の先に相当する接触センサＳ６−２が一定の時間間隔で接触信号を断続して送信する。図６において、暗色に示された部分が接触信号を断続して送信する接触センサＳ６−２を示す。
【００５４】
また、ユーザがリモコン装置１を把持したまま人差し指の先で筐体２の外周面を左右に交互に叩く、又は左右に撫でる動作を行うと、人差し指の先に相当する接触センサＳ１−２、Ｓ２−２が一定の時間間隔で接触信号を断続して送信する。図７において、暗色に示された部分が接触信号を断続して送信する接触センサＳ１−２、Ｓ２−２を示す。
【００５５】
さらに、ユーザがリモコン装置１を把持したまま上下に強く握り締めると、リモコン装置１の筐体２の上下面に相当する接触センサＳ１−２〜Ｓ１−８等が所定以上の接触圧力を受け、その圧力値を制御部５に対して送信する。図８において、暗色に示された部分が所定以上の圧力を受ける接触センサを示す。
【００５６】
ユーザによる操作指示は、基本的には、ユーザが最初にリモコン装置１を把持した以後に行う経時変化を伴う動作であり、それらの動作によって接触センサＳ１−１〜Ｓ６−１０、又は加速度センサ４から制御部５へ送信される信号に経時変化を伴う。以下、上記のようなユーザがリモコン装置１を把持した状態で制御部５が受信する信号の変化を信号変化パターンという。また、図６乃至図８に示される信号変化パターンを生じさせる操作指示を、それぞれ操作指示Ｐ１、操作指示Ｐ２及び操作指示Ｐ３という。
【００５７】
制御部５は、加速度センサ４、又は接触センサＳ１−１〜Ｓ６−１０から受信する信号において上記のような変化を検出する場合に、ユーザによって操作指示が行われたと判断する（＃４においてＹＥＳ）。
【００５８】
次に、制御部５は、その時点における時刻情報とリモコン装置１の場所情報を、時刻識別手段と場所識別手段から取得し、リモコン装置１が使用される時刻と場所を識別する（＃５）。例えば、制御部５は、使用時刻が午前７時であり、使用場所が寝室であると識別する。
【００５９】
次に、制御部５は、＃４において識別した操作指示（例えば、操作指示Ｐ１）が記憶部５に予めユーザごとに設定登録されている寝室における午前７時の時間帯における複数の操作指示の中に一致する操作指示があるか否かを判断する（＃６）。
【００６０】
この判断処理について、例を挙げて詳細に説明する。今、記憶部８には、ユーザ（Ａさん）に属する情報が、使用場所、使用時間帯及び操作指示ごとに区分されて、図９に示されるように設定登録されているとする。操作指示Ｐ１〜操作指示Ｐ３（信号変化パターン）は、それぞれ記憶部５内にディジタル化されて記憶される。
【００６１】
図９に示された情報について説明する。使用場所が寝室であり、使用時間帯が午後１０時から翌朝午前６時の間において操作指示Ｐ１に対応する制御情報は「照明器具１０２の点灯（明るさ１段階目）」、同じく使用時間帯が午前６時から午後４時の間において操作指示Ｐ１に対応する制御情報は「照明器具１０２の点灯（明るさ４段階目）」、同じく使用時間帯が午後４時から午後６時の間において操作指示Ｐ１に対応する制御情報は「照明器具１０２の点灯（明るさ３段階目）」のように設定されている。なお、照明器具１０２は、明るさが５段階に設定されるものであるとする。
【００６２】
同様に、使用場所が寝室であり、使用時間帯が午後７時から翌朝午前８時の間において操作指示Ｐ２に対応する制御情報は「エアコンの電源オン（暖房モード、設定温度２０℃）」、同じく使用時間帯が午前８時から午後７時の間において操作指示Ｐ２に対応する制御情報は「エアコンの電源オン（暖房モード、設定温度１８℃）」である。
【００６３】
また、使用場所が居間であって、使用時間帯が午後６時から翌朝午前９時の間において操作指示Ｐ２に対応する制御情報は「エアコンの電源オン（暖房モード、設定温度２３℃）」、同じく使用時間帯が午前９時から午後６時の間において操作指示Ｐ２に対応する制御情報は「エアコンの電源オン（暖房モード、設定温度２０℃）」である。
【００６４】
さらに、使用場所が居間であって、使用時間帯が午後１１時から翌日の午後６時の間において操作指示Ｐ３に対応する制御情報は「ハードディスクレコーダの電源オン（通常モード）」、同じく使用時間帯が午後６時から翌日の午後１１時の間において操作指示Ｐ３に対応する制御情報は「ハードディスクレコーダの電源オン（録画モード）」である。
【００６５】
使用場所が玄関であって、使用時間帯が午後５時から翌朝の午前７時の間において操作指示Ｐ１に対応する制御情報は「玄関灯の点灯」、同じく使用時間帯が午前７時から午後５時の間において操作指示Ｐ１に対応する制御情報は「玄関灯の点灯（補助灯の点灯）」である。
【００６６】
なお、記憶部８に設定登録された制御情報は、図９に示されたように、概ね統一されて操作指示Ｐ１によって照明器具が点灯され、操作指示Ｐ２によってエアコンが電源オンされ、操作指示Ｐ３によってハードディスクレコーダが電源オンされるように設定されているが、後に説明するように記憶部８への設定登録は、ユーザがユーザ自身の便利なように任意に行うことができる。例えば、居間と寝室ではエアコンの電源をオンするための操作指示が異なっていてもよいし、仮に居間においてエアコンを制御する必要がない場合には、居間におけるハードディスクレコーダの制御のための操作指示が操作指示Ｐ１あるいは操作指示Ｐ２で行われるように設定されてもよい。
【００６７】
図３のフローチャートに戻って説明する。制御部５は、＃４において識別した操作指示（操作指示Ｐ１）が、＃５において識別した条件（使用場所：寝室、使用時刻：午前７時）の範囲において図９に示されるユーザごとに設定登録された情報の中にあるか否かを判断する（＃６）。ないと判断される場合（＃６においてＮＯ）には、制御部５はユーザによる次の操作指示を待つ。
【００６８】
あると判断される場合（＃６においてＹＥＳ）には、制御部５は、その条件（使用場所：寝室、使用時刻：午前７時）と操作指示（操作指示Ｐ１）の組合せに対応する制御情報「照明器具点灯の点灯（明るさ４段階目）」を、信号送信部（発光ダイオード３）から赤外光Ｒとして送信する（＃７）。
【００６９】
以上の説明から明らかなように、使用するユーザが同一であり操作指示が同一であっても、使用場所及び使用時刻が異なる場合は、リモコン装置１から送信される制御情報が異なる場合がある。
【００７０】
例えば、図９から明らかなように、使用場所が寝室であり使用時刻が午前５時の場合に、ユーザによって操作指示Ｐ１が入力されるときは、制御情報「照明器具点灯の点灯（明るさ１段階目）」がリモコン装置１から送信され、照明器具１０２は、ユーザが覚醒してしまわない程度の最小限の明るさで点灯されるが、使用場所が寝室であって、ユーザが操作指示Ｐ１を入力する場合であっても使用時刻が午後５時の場合には、制御情報「照明器具点灯の点灯（明るさ３段階目）」がリモコン装置１から送信され、照明器具１０２は、夕暮れ時に適した中程度の明るさで点灯される。
【００７１】
また、使用場所が玄関であり使用時刻が午前１０時の場合に、ユーザによって操作指示Ｐ１が入力されるときは、制御情報「玄関灯の点灯（補助灯の点灯）」がリモコン装置１から送信され、昼間であるので玄関灯は、本体ではなく補助灯が点灯される。
【００７２】
さらに、図９から明らかなように、ユーザが寝室及び居間においてリモコン装置１を操作してエアコンを電源オンする場合に、寝室において操作指示Ｐ２を入力して操作する場合と、居間において同じく操作指示Ｐ２を入力して操作する場合では、ユーザがいちいちそれらに適合するような複雑なボタン押し操作を行わなくとも、単一の操作（操作指示Ｐ２）によって場所と時刻に適合するように設定温度が細かく調整されてエアコンが運転開始される。
【００７３】
再び図３のフローチャートに戻って説明する。制御部５は、信号送信部から送信した制御情報について、記憶部８に記憶されている制御情報履歴テーブルの累積送信回数をインクリメントして制御情報履歴テーブルを更新する（＃８）。
【００７４】
この処理について、図１０を参照して説明する。図１０は、制御情報履歴テーブルＴの構成例を示す。制御情報履歴テーブルＴは、ユーザ、使用場所及び使用時刻の組合せごとに作成される。例えば、図１０に示される制御情報履歴テーブルＴは、ユーザ（Ａさん）の寝室における午前７時から午後１時の間に送信された制御情報に関するものである。
【００７５】
制御情報履歴テーブルＴには、リモコン装置１が使用開始されてから今までに送信した制御情報についての累積送信回数と頻度が記憶される。頻度は、全制御情報についての累積送信回数の総数に対する該当する制御情報の累積送信回数の割合で表される。
【００７６】
例えば、図１０に示されるように、制御情報「照明器具点灯」について累積送信回数が３２回、頻度が２５％、制御情報「照明器具消灯」について累積送信回数が３２回、頻度が２５％、制御情報「エアコンの電源オン」について累積送信回数が１４回、頻度が１０％、制御情報「エアコンの電源オフ」について累積送信回数が１３回、頻度が９％、のように記憶される。
【００７７】
なお、図１０の制御情報履歴テーブルＴにおける制御情報「照明器具点灯」は、制御情報「照明器具点灯（明るさ１段階目）」、制御情報「照明器具点灯（明るさ４段階目）」、及び制御情報「照明器具点灯（明るさ３段階目）」を総合して集計されたものであるが、記憶部８に設定登録された制御情報ごとに履歴が記録されるものであってもよい。
【００７８】
今、例えば、＃７の処理において制御部５が制御情報「エアコンの電源オフ」を送信した場合には、制御部５は、＃８の処理において制御情報履歴テーブルＴの制御情報「エアコンの電源オフ」についての累積送信回数を１４回へインクリメントし、頻度を１０％へ更新する。
【００７９】
次に、制御部５は、＃８において更新された制御情報履歴テーブルＴに基づいて、送信した制御情報についての頻度が所定値以上か否かを判断する（＃９）。例えば、所定値が１０％に設定されている場合には、上記の例において、制御情報「エアコンの電源オフ」の頻度は１０％に到達するので、制御情報「エアコンの電源オフ」の頻度は所定値以上であると判断される（＃９においてＹＥＳ）。
【００８０】
そして、制御情報の頻度が所定値以上であると判断される場合には、制御部５は、その制御情報についての識別条件を緩和する（＃１０）。
【００８１】
この処理について具体的に説明する。制御部５は、ユーザが行った操作指示と同一の操作指示が記憶部８に予め設定登録されている同一ユーザ及び同一条件（使用場所と使用時刻）が組合わされた操作指示の中にあるか否かを、前述のとおり、各操作指示に対応する信号変化パターンが一致するか否かに基づいて判断するが、＃９において頻度が所定値以上と判断された制御情報については、この＃６における識別条件を緩和する。
【００８２】
上記の例に沿ってさらに説明する。今、制御部５は、＃６において、例えば、設定登録された操作指示Ｐ１に対応する信号変化パターン（接触センサＳ６−２から接触信号が断続して送信される）と、判断対象とされる操作指示に対応する信号変化パターン（接触センサＳ５−２から接触信号が断続して送信される）を比較する場合に、識別条件が緩和されないときには、設定登録された操作指示Ｐ１に対応する信号変化パターンと判断対象とされる操作指示に対応する信号変化パターンは明らかに異なるので、＃６における判断はＮＯと判断する。
【００８３】
ところが、＃６における識別条件が緩和されると、例えば、上記の例であれば、断続した接触信号を送信する接触センサ（Ｓ６−２とＳ５−２）の位置は近接した位置であるので、この程度の相違であるならば、信号変化パターンは一致すると看做して＃６における判断をＹＥＳとする。
【００８４】
これをユーザ側の観点からみるならば、ユーザは、例えば、「エアコンの電源オフ」の操作指示を行うつもりで、親指で筐体２の側面を軽く叩く場合でも叩く位置が通常よりずれてしまう場合がある。その場合にも、上記のように識別条件が緩和されていれば、制御部５は、ユーザが本来意図した操作指示（「エアコンの電源オフ」を送信させるための操作指示）であるとして識別する。
【００８５】
頻度が高い操作指示（例えば、「照明器具点灯」、「照明器具消灯」等を送信させるための操作指示）については、上記のように識別条件が緩和されても問題はなく、むしろユーザにとって、操作指示の動作を細部まで正確に行うことを強いられることがなく使い勝手がよい。換言すれば、頻度が高い操作指示については、ユーザに要求される操作の正確性の程度が緩和され、ユーザがリモコン装置１を気軽に使用できる。
【００８６】
また、制御情報履歴テーブルＴに記憶させる情報として、送信された制御情報ごとの頻度等とは別に、頻度の高い制御情報についてその制御情報が送信される前後において送信される制御情報の頻度を記憶させることによって、関連性のある一連の操作については、ユーザに要求される操作の正確性の程度が緩和されて、ユーザが小さな操作ミスをしても制御部５がユーザが本来意図した操作指示として識別できるように構成できる。
【００８７】
これについて、図１１（ａ）及び図１１（ｂ）を参照して説明する。図１１（ａ）は、制御情報「照明器具点灯」について、リモコン装置１が使用開始されてから今までに制御情報「照明器具点灯」が送信された直前に送信された制御情報の履歴が記憶された制御情報履歴テーブルＴａであり、図１１（ｂ）は、同様に、リモコン装置１が使用開始されてから今までに制御情報「照明器具点灯」が送信された直後に送信された制御情報の履歴が記録された制御情報履歴テーブルＴｂである。
【００８８】
図１１（ａ）に示される制御情報履歴テーブルＴａおいては、制御情報「照明器具点灯」が送信される直前に送信された制御情報は、「エアコンの電源オン」が頻度５０％であり、「エアコンの電源オフ」が頻度２５％であることが記憶されている。また、図１１（ｂ）に示される制御情報履歴テーブルＴｂおいては、制御情報「照明器具点灯」が送信された直後に送信された制御情報は、「エアコンの電源オフ」が頻度３０％であり、「照明器具消灯」が頻度１０％であることが記憶されている。
【００８９】
これによって、制御部５は、ユーザ（Ａさん）が寝室において制御情報「照明器具点灯」を選択する直前には制御情報「エアコンの電源オン」を選択する可能性が高く、制御情報「照明器具点灯」を選択した直後には制御情報「エアコンの電源オフ」が選択される可能性が高いことを認識する。
【００９０】
そして、前述の＃９と＃１０における処理とほぼ同様に、図１１（ａ）及び図１１（ｂ）の制御情報履歴テーブルＴａ、Ｔｂにおいて記録された制御情報の頻度が所定値以上となった場合には、その制御情報についての識別条件を緩和する。
【００９１】
例えば、今、ユーザ（Ａさん）が寝室において行った直前の操作指示が制御情報「エアコンの電源オン」を選択するものであった場合に、制御部５が、次にユーザが行う操作指示を図３のフローチャートに沿って識別するとき、＃６の識別処理において制御情報「照明器具点灯」に対応する操作指示の識別条件を緩和する。
【００９２】
これによって、ユーザの、次の制御情報「照明器具点灯」に対応する操作指示の動作が正確ではない場合でも、制御部５は、ユーザが本来意図した可能性が高い制御情報「照明器具点灯」を予測して、制御情報「照明器具点灯」に対応する信号変化パターン（操作指示）に近い信号変化パターンが検出される場合には、制御情報「照明器具点灯」を赤外光Ｒとして送信する。
【００９３】
従って、上記の機能は、ユーザによる操作指示の入力が比較的短い時間間隔で次々と実行されるハードディスクレコーダ等の電気機器において特に効果的である。例えば、ハードディスクレコーダにおいて、ユーザが日常的に行っている一連の操作どおりに続けて操作指示を行う場合（例えば、「電源オン」→「再生」→「早送り」等）には、ユーザに要求される操作の正確性の程度が緩和されて、ユーザが小さな操作ミスをしても制御部５はユーザが本来意図した制御情報を送信する。
【００９４】
以上のように本実施形態のリモコン装置１では、ユーザがリモコン装置１を把持する態様が一定しないとか、操作指示のときのユーザの手の動作が一定しない等の問題があっても、ユーザが本来意図する可能性の高い制御情報を電気機器へ向けて送信することができる。
【００９５】
次に、リモコン装置１の記憶部８に、リモコン装置１の使用場所、使用時刻及び操作指示に対応付けて制御情報を記憶させる手順（以下、設定手順という）について説明する。
【００９６】
この設定手順を実行するためには、事前に設定スイッチ７を押してリモコン装置１を設定モードに切替える。なお、この設定スイッチ７に代えて、特定の位置の接触センサ（例えば、接触センサＳ２−１）に通常では行わない操作（例えば、数秒間の長押し）を行うことを、設定モードへの切替え操作としてもよい。
【００９７】
また、設定手順は、リモコン装置１に外部のパソコンが接続されることによって、リモコン装置１の記憶部８に予め複数の電気機器に対応する多数の制御情報が記憶されている場合と、新しい制御情報を他のリモコン装置１０からフォトトランジスタ６を介して受信し、記憶部８に記憶させる場合との２通りがある。
【００９８】
まず、リモコン装置１の記憶部８に送信すべき制御情報が予め記憶されている場合について説明する。ユーザは、設定スイッチ７を押してリモコン装置１を設定モードに切替えた後、特定の接触センサ（例えば、接触センサＳ１−１と接触センサＳ２−１）を押す等によって設定を所望する制御情報（例えば、「エアコンの電源オン（暖房モード、設定温度２０℃）」）を選択し、次にその制御情報に対応付けするべき操作指示（例えば、操作指示Ｐ２）の動作を行い、続けて使用場所（寝室）と使用時間帯（午後７時から翌日の午前８時）の情報を外部パソコンから入力する。
【００９９】
以後、同様にして次の制御情報（例えば、「ハードディスクレコーダの電源オン（通常モード）」）を選択し、その制御情報に対応付けするべき操作指示（例えば、操作指示Ｐ３）の動作を行い、続けて使用場所（居間）と使用時間帯（午後１１時から翌日の午後６時）の情報を外部パソコンから入力する等の操作を繰返して行う。
【０１００】
ユーザが所望する制御情報の全てに対する操作指示の設定が終了すれば、設定スイッチ７を押して設定モードを通常モードへ切替える。上記設定手順によって、記憶部８に予め記憶されていた各制御情報にそれぞれ対応付けて使用場所、使用時刻及び操作指示が記憶される。
【０１０１】
次に、リモコン装置１の記憶部８に予め記憶されていない新しい制御情報を他のリモコン装置１０から取込んで記憶部８に記憶させる場合について説明する。ユーザは、設定スイッチ７を押してリモコン装置１を設定モードに切替えた後、他のリモコン装置１０（例えば、エアコンに付属のリモコン装置）を操作して所望の制御情報（例えば、除湿機能動作、温度設定２５℃、風量風向自動）を赤外光ｒとして送信させ、リモコン装置１のフォトトランジスタ（信号受信部）６を介して記憶部８に記憶させる。
【０１０２】
その後、ユーザはその制御情報に対応付けするべき操作指示（例えば、中指で筐体２の右側面を撫でる動作）を行い、続けて使用場所（例えば、居間）と使用時間帯（例えば、午前１０時から午後５時）の情報を外部パソコンから入力する。この手順によって、記憶部８に除湿機能動作、温度設定２５℃、風量風向自動を指示する制御情報が、使用場所が居間であるという場所情報と、使用時間帯が午前１０時から午後５時であるという時刻情報と、中指で筐体２の右側面を撫でるという操作指示との組合せに対応付けて記憶される。
【０１０３】
次に、例えば、ユーザは、他のリモコン装置１０を操作して制御情報（例えば、暖房機能動作、温度設定２２℃、風量風向自動、４時間後に自動停止）を赤外光ｒとして送信させ、リモコン装置１に記憶させる。その後、ユーザは、その制御情報に対応付けするべき操作指示（例えば、中指で筐体２の右側面を２度叩く）を行い、続けて使用場所（例えば、寝室）と使用時間帯（例えば、午後１０時から翌日の午前２時）の情報を外部パソコンから入力する。以後、同様にして他のリモコン装置１０から所望の制御情報を送信させ、その制御情報に対応付けするべき操作指示を行い、続けて使用場所と使用時間帯の入力操作を繰返して行う。そして、全ての設定が終了すれば、最後に設定スイッチ７を押して設定モードを通常モードへ切替える。
【０１０４】
以上のように、本実施形態のリモコン装置１では、設定モードに切替えた上で他のリモコン装置１０からの制御情報を簡単に記憶させることができるので、制御対象の電気機器が多数ある場合でも、ユーザは、リモコン装置１でもって、容易にそれら電気機器が制御できるように設定できる。
【０１０５】
なお、本発明は、上記実施形態の構成に限られることなく種々の変形が可能である。例えば、ユーザ識別手段が接触センサ１−１〜６−１０、制御部５及び記憶部８によって構成される代わりに、公知の個人識別装置（例えば、指紋識別装置）によって構成されてもよいし、ユーザ操作指示を入力するための手段が、接触センサ１−１〜６−１０及び／又は加速度センサ４によって構成される代わりに、少数のボタンによって構成されてもよい。
【図面の簡単な説明】
【０１０６】
【図１】本発明の一実施形態に係るリモコン装置の斜視図。
【図２】同リモコン装置の電気的構成を示すブロック図。
【図３】同リモコン装置における制御情報の送信手順を示すフローチャート。
【図４】同リモコン装置においてユーザ（Ａさん）が把持するときの接触センサによる接触パターンを示す図。
【図５】同リモコン装置においてユーザ（Ｂさん）が把持するときの接触センサによる接触パターンを示す図。
【図６】同リモコン装置においてユーザが親指で筐体側面を叩くとき（操作指示Ｐ１）の信号変化パターンを示す図。
【図７】同リモコン装置においてユーザが人差し指で筐体表面を叩くとき（操作指示Ｐ２）の信号変化パターンを示す図。
【図８】同リモコン装置においてユーザが筐体を握り締めるとき（操作指示Ｐ３）の信号変化パターンを示す図。
【図９】同リモコン装置において記憶部内に記憶されるユーザ（Ａさん）について設定登録された制御情報と、各制御情報に対応付けされた使用場所、使用時刻及び操作指示を示す図。
【図１０】同リモコン装置において記憶部内に記憶されるユーザ（Ａさん）の寝室における制御情報履歴テーブルを示す図。
【図１１】（ａ）は、同リモコン装置における制御情報「照明器具点灯」が送信される前に送信される制御情報の制御情報履歴テーブルを示す図、（ｂ）は、同リモコン装置における制御情報「照明器具点灯」が送信された後に送信される制御情報の制御情報履歴テーブルを示す図。
【図１２】同リモコン装置が宅内で使用される状態を示す図。
【符号の説明】
【０１０７】
１  リモコン装置
３  発光ダイオード（信号送信部）
４  加速度センサ
５  制御部（信号送信部、ユーザ識別手段、場所識別手段、時刻識別手段）
６  フォトトランジスタ（信号受信部）
８  記憶部（履歴記憶部）
９  時計（時刻識別手段）
１０  他のリモコン装置
１１  受信部（場所識別手段）
１０２  照明器具（電気機器）
１０３  エアコン（電気機器）
Ｓ１−１〜Ｓ６−１０  接触センサ（ユーザ識別手段）
Ｔ、Ｔａ、Ｔｂ  制御情報履歴テーブル（履歴記憶部）
【図１】
2007227995.tif 000003
【図２】
2007227995.tif 000004
【図３】
2007227995.tif 000005
【図９】
2007227995.tif 000006
【図１０】
2007227995.tif 000007
【図１１】
2007227995.tif 000008
【図１２】
2007227995.tif 000009
【図４】
2007227995.tif 000010
【図５】
2007227995.tif 000011
【図６】
2007227995.tif 000012
【図７】
2007227995.tif 000013
【図８】
2007227995.tif 000014